(57)【特許請求の範囲】
【請求項１】
上下方向に延びる棒状の脚部本体を有し、下方の端部が床面に接地する脚部を左右方向に離間した状態で一対のみ備え、
前記脚部本体に設けられ、前記脚部により前記床面よりも上方となるように支持される座部と、
前記脚部本体の上方の端部に設けられた背もたれ部と、
を備え、
前記背もたれ部は、
前記脚部本体よりも前方に配置された背受け部と、
前記背受け部の上方の端部から前記脚部本体よりも上方を通って後方に延びる肘受け部と、を有し、
前記脚部の下方の端部から前記背もたれ部の上方の端部までの上下方向の長さは７５０ｍｍ〜１０００ｍｍで、前記脚部の下方の端部から前記座部の上方の端部までの上下方向の長さが５００〜７００ｍｍであることを特徴とする椅子。
【請求項２】
配線が接続され、前記背もたれ部の上方の端部に取付けられたコネクタ部を備えていることを特徴とする請求項１に記載の椅子。
【請求項３】
内部に配線が挿通可能であり前記座部の下方に設けられたダクト部と、
前記配線が接続され、前記座部の下方に取付けられたコネクタ部と、
を備えることを特徴とする請求項１に記載の椅子。
【請求項４】
内部に配線が挿通可能であり前記背もたれ部よりも下方かつ前記座部よりも上方に設けられたダクト部と、
前記配線が接続され、前記背もたれ部よりも下方かつ前記座部よりも上方に取付けられたコネクタ部と、
を備えることを特徴とする請求項１に記載の椅子。
【請求項５】
前記脚部には、内部に配線が挿通可能であり、前記脚部に沿って前記脚部の下方の端部まで延びる配線カバーが設けられていることを特徴とする請求項１から４のいずれか一項に記載の椅子。
【発明の詳細な説明】
【技術分野】
【０００１】
本発明は、オフィスや病院等で使用される椅子に関する。
【背景技術】
【０００２】
従来、オフィスや病院等に椅子が設置され、使用者が休憩をとるのに利用されている。この種の椅子としては、例えば特許文献１に記載されたものが知られている。
【０００３】
特許文献１の立姿勢用シートである椅子は、棒状の座部と、この座部に対して略平行で所定の寸法だけ上方かつ後方に位置する棒状の支持部と、この座部及び支持部を支持するフレーム部とを備えている。座部は転倒可能な構造になっており、支持部の上方のフレーム部には手掛部材（肘受け部）が掛け渡されている。
フレーム部は、座部及び支持部等を支持する連結部材と、脚部材とで構成されている。脚部材の下端は、床取付部材で床面に固着され、脚部材の側部は、壁取付部材によってシート取付レール等を介して側壁に固着されている。つまり、このフレーム部は、床及び壁を利用して片持状態で支持されている。
【０００４】
したがって、この椅子の座部を回転させて、座部及び支持部を利用して略立姿勢で着座することができる。また、この椅子の近傍の人は、この椅子の手掛部材に手や肘を掛けることができる。
【先行技術文献】
【特許文献】
【０００５】
【特許文献１】特許第３５８６３００号公報
【発明の概要】
【発明が解決しようとする課題】
【０００６】
しかしながら、手掛部材は丸棒状であるため、手掛部材から受ける反力が肘の一部に集中する。このため、手掛部材に肘を掛けて使用しにくいという問題がある。
【０００７】
本発明は、このような問題点に鑑みてなされたものであって、肘受け部に肘を掛けて使用しやすい椅子を提供することを目的とする。
【課題を解決するための手段】
【０００８】
上記課題を解決するために、この発明は以下の手段を提案している。
本発明の椅子は、上下方向に延びる棒状の脚部本体を有し、下方の端部が床面に接地する脚部を左右方向に離間した状態で一対のみ備え、前記脚部本体に設けられ、前記脚部により前記床面よりも上方となるように支持される座部と、前記脚部本体の上方の端部に設けられた背もたれ部と、を備え、前記背もたれ部は、前記脚部本体よりも前方に配置された背受け部と、前記背受け部の上方の端部から前記脚部本体よりも上方を通って後方に延びる肘受け部と、を有し、前記脚部の下方の端部から前記背もたれ部の上方の端部までの上下方向の長さは７５０ｍｍ〜１０００ｍｍで、前記脚部の下方の端部から前記座部の上方の端部までの上下方向の長さが５００〜７００ｍｍであることを特徴としている。
【０００９】
この発明によれば、肘受け部の上面は前後方向及び左右方向に延びる平坦面になるため、この上面に肘を掛けても肘受け部から受ける反力は肘に平面的に作用して集中しない。したがって、肘受け部に肘をかけて使用しやすくなる。
また、座部に短時間腰を掛けるのに適した椅子であることから、一定時間内により多くの使用者が使用でき、椅子の使用者回転率を高めることができる。
【００１１】
また、上記の椅子において、配線が接続され、前記背もたれ部の上方の端部に取付けられたコネクタ部を備えていることがより好ましい。
この発明によれば、コネクタ部にプラグ等の外部端子を接続する作業が椅子に座る使用者の顔に近い位置でできるため、作業性が良くなる。
【００１２】
また、上記の椅子において、前記コネクタ部の上方の端部の高さが、前記背もたれ部の上方の端部の高さにほぼ等しいことがより好ましい。
この発明によれば、コネクタ部が背もたれ部から見やすい位置となり、コネクタ部に外部端子を接続する作業がしやすい。
【００１３】
また、上記の椅子において、内部に配線が挿通可能であり前記座部の下方に設けられたダクト部と、前記配線が接続され、前記座部の下方に取付けられたコネクタ部と、を備えることがより好ましい。
この発明によれば、座部に腰を掛けたり背もたれ部にもたれたりする動作に、コネクタ部が支障となりにくくすることができる。
【００１４】
また、上記の椅子において、前記ダクト部は、前記コネクタ部から後方に延びる第一ダクトと、前記第一ダクトの後方の端部に接続され、左右方向に延びる第二ダクトと、を有することがより好ましい。
この発明によれば、直線状の第一ダクト、第二ダクトごとにそれぞれ配線作業ができる
ので、配線作業が容易になる。第一ダクト、第二ダクトに分けて座部等に取付けることが
できるので、取付けの作業性が向上する。
【００１５】
また、上記の椅子において、内部に配線が挿通可能であり前記背もたれ部よりも下方かつ前記座部よりも上方に設けられたダクト部と、前記配線が接続され、前記背もたれ部よりも下方かつ前記座部よりも上方に取付けられたコネクタ部と、を備えることがより好ましい。
この発明によれば、座部に腰を掛けたときに、座部よりも下方に置いた足にコネクタ部及びダクト部が支障となりにくくなる。
【００１６】
また、上記の椅子において、前記背もたれ部の前方の端部よりも前記コネクタ部の前方の端部の方が後方に配置されていることがより好ましい。
この発明によれば、誤って背もたれ部に飲み物をこぼした場合に、その飲み物がコネクタ部にかかりにくい。
【００１８】
また、上記の椅子において、前記脚部の下方の端部よりも前記背もたれ部の方が後方に突出していることがより好ましい。
この発明によれば、壁面に背もたれ部を接触させたときに、壁面の下部に設けられたＲ幅木の下方の端部に脚部の下方の端部が干渉するのを抑制することができる。
【００１９】
また、上記の椅子において、前記脚部には、内部に配線が挿通可能であり、前記脚部に沿って前記脚部の下方の端部まで延びる配線カバーが設けられていることがより好ましい。
この発明によれば、配線を床面近くまで配線カバーの内部で引き回すことができる。
【発明の効果】
【００２０】
本発明の椅子によれば、肘受け部に肘を掛けて使用しやすくなる。
【図面の簡単な説明】
【００２１】
【図１】本発明の第１実施形態の椅子の斜視図である。
【図２】同椅子の側面図である。
【図３】同椅子の脚部本体に配線カバーを取付けた背面図である。
【図４】図３中の要部の断面図である。
【図５】同椅子の側面の断面図である。
【図６】同椅子の正面の一部を破断した図である。
【図７】同椅子の要部の側面の断面図である。
【図８】同椅子のコネクタ部周辺の斜視図である。
【図９】同椅子を使用者が使用している状態を示す斜視図である。
【図１０】本発明の第２実施形態の椅子の斜視図である。
【図１１】同椅子の側面図である。
【図１２】同椅子から座部のクッション部を取外した状態の斜視図である。
【図１３】同椅子の側面の一部を破断した図である。
【図１４】同椅子の正面の一部を破断した図である。
【図１５】同椅子のコネクタ支持具の斜視図である。
【図１６】同椅子を使用者が使用している状態を示す斜視図である。
【図１７】本発明の第２実施形態の椅子の変形例におけるコネクタ支持具の正面側からの斜視図である。
【図１８】同コネクタ支持具の背面側からの斜視図である。
【図１９】本発明の第３実施形態の椅子の斜視図である。
【図２０】同椅子の側面の断面図である。
【図２１】同椅子の正面の一部を破断した図である。
【図２２】同椅子を背面側から見た斜視図である。
【図２３】同椅子のコネクタ支持具の斜視図である。
【図２４】同椅子を背面側から見た斜視図である。
【発明を実施するための形態】
【００２２】
（第１実施形態）
以下、本発明に係る椅子の第１実施形態を、椅子が、いわゆるハイシートベンチである場合を例にとって、図１から図９を参照しながら説明する。ハイシートベンチは、座部の位置が比較的高く、座部の上部から背もたれ部の上部までの長さが比較的短い椅子である。
図１及び２に示すように、本実施形態の椅子１は、下方の端部が床面Ｇに接地する一対の脚部１０と、脚部１０に設けられた座部２０と、脚部１０の上方の端部に設けられた背もたれ部４０と、脚部１０の上方の端部の後方に設けられたダクト部６０と、背もたれ部４０に取付けられたコネクタ部７０とを備えている。
【００２３】
脚部１０は、下方及び上方を含む上下方向Ｚに延びる棒状の脚部本体１１と、脚部本体１１の下方の端部に接合され上下方向Ｚに直交する前後方向Ｘに延びる脚支持部１２とを有している。前後方向Ｘのうちの一の方向が前方であり、他の方向が後方である。
脚部本体１１及び脚支持部１２には、例えば断面が矩形の角筒状の鋼管を好適に用いることができる。脚部本体１１は、脚支持部１２の後方の端部に溶接等により接合されている。脚支持部１２の前方の端部の下面、及び後方の端部の下面には、床面Ｇに接触する接触面１３ａを底面に有するアジャスタ１３がそれぞれ取付けられている。
脚支持部１２の前面及び後面（背面）には、脚支持部１２が壁面等に当たった時の傷付きを防止するための保護部材１２ａが取付けられている。保護部材１２ａは、樹脂やゴム等で形成することができる。
一対の脚部１０は、左右方向Ｙに離間した状態で配置されている。
【００２４】
図３及び４に示すように、各脚部本体１１の後面には、配線カバー１４が設けられている。配線カバー１４は、上下方向Ｚに見たときにコ字形に形成されたカバー本体１５と、カバー本体１５に脚部本体１１に向かって凹むように形成された凹部１６とを有している。
カバー本体１５は、脚部本体１１に沿って脚部本体１１の下方の端部まで延びている。カバー本体１５の内部には、コネクタ部７０の後述する配線７４が挿通可能である。凹部１６は、カバー本体１５に上下方向Ｚに間隔を開けて一対形成されている。凹部１６の底部には、公知のダルマ穴１６ａが形成されている。カバー本体１５は、例えば鋼板や樹脂等で形成することができる。
【００２５】
カバー本体１５の下方の端部における配線７４が挿通される内面には、カバー本体１５から外部に取出される配線７４の傷付き防止のために、フェルトやグロメットを取付けてもよい。
カバー本体１５は、脚部本体１１に取付けられたボルト１７を凹部１６のダルマ穴１６ａの幅広部に挿通し、ボルト１７の頭部をダルマ穴１６ａの幅狭部に係合させることで、脚部本体１１に取付けられている。
【００２６】
図５及び６に示すように、座部２０は、一対の脚部１０間に固定されたフレーム部２１と、フレーム部２１に取付けられたクッション部２２とを有している。
フレーム部２１は、左右方向Ｙに延びる左右フレーム２４と、左右フレーム２４から前方に延びる前後フレーム２６、２７とを有し、全体として櫛歯状に形成されている。
左右フレーム２４は、前述の鋼管を用いて形成することができる。左右フレーム２４は、一対の脚部１０の脚部本体１１間に配置され、各端部が脚部本体１１に溶接等により接合されている。
前後フレーム２６は、ウェブ２８の上方、下方の端部にフランジ２９、３０を取付けて構成されている。フランジ２９には、上下方向に貫通する図示しない貫通孔が形成されている。
前後フレーム２７は、前後方向Ｘに見たときにコ字形に形成され、左右フレーム２４の両端部に取付けられている。前後フレーム２６、２７は例えば鋼板で形成され、左右フレーム２４に溶接等により接合されている。
【００２７】
クッション部２２は、合板３２と、合板３２上に配置された硬質クッション層３３と、硬質クッション層３３上に配置された軟質クッション層３４とを備えている。
合板３２は、複数の単板を繊維方向が互い違いになるように重ねたものである。合板３２は、上下方向Ｚにほぼ直交する方向に延びる板状に形成され、下面の中央部に凹部３２ａが形成されている。合板３２には図示しないナットが埋め込まれている。硬質クッション層３３、軟質クッション層３４としては、例えばチップウレタン、発泡ウレタンをそれぞれ用いることができる。クッション部２２の前面、上面、及び後面は、図示はしないが防水性を有し、意匠性の高いカバーで覆われている。硬質クッション層３３は合板３２よりも上方に配置され、軟質クッション層３４は硬質クッション層３３よりも上方に配置されている。本実施形態では、クッション部２２は左右方向Ｙに３つに分割されている（図１参照）。
【００２８】
フランジ２９の貫通孔に挿通させたボルト３６のネジ部を合板３２のナットに係合させることで、フレーム部２１の上方にクッション部２２が取付けられる。
前後フレーム２７は、クッション部２２を下方から支持している。
このように構成された座部２０は、脚部本体１１に左右フレーム２４が接合されることで、椅子１が床面Ｇ上に配置されたときに脚部１０により床面Ｇよりも上方となるように支持される。
【００２９】
背もたれ部４０は、図５及び７に示すように、脚部１０の脚部本体１１の上方の端部に接合された接続フレーム（接続部材）４１と、脚部１０の脚部本体１１よりも前方に配置された背受け部４２と、背受け部４２の上方の端部から脚部本体１１よりも上方を通って後方に延びる肘受け部４３と、ダクト部６０を覆う蓋部４４とを有している。
接続フレーム４１は、前述の鋼管を用いて形成することができ、左右方向Ｙに延びている。接続フレーム４１は、各脚部１０の脚部本体１１を接合している。接続フレーム４１には、図示しない貫通孔が形成されている。
【００３０】
背受け部４２は、合板４７と、合板４７上に配置された硬質クッション層４８とを備えている。硬質クッション層４８の前面４８ａは、上方に向かうにしたがって後方に向かうように傾斜した斜面になっている。合板４７、硬質クッション層４８は、前述の合板３２、硬質クッション層３３と同じ材料でそれぞれ形成することができる。硬質クッション層４８は合板４７よりも前方に配置されている。
【００３１】
肘受け部４３は、合板５１と、合板５１上に配置された硬質クッション層５２とを備えている。硬質クッション層５２の上面５２ａは、前後方向Ｘ及び左右方向Ｙに延びる平坦面である。合板５１、硬質クッション層５２は、前述の合板３２、硬質クッション層３３と同じ材料でそれぞれ形成することができる。硬質クッション層５２は、合板５１よりも上方に配置されている。
合板５１、及び前述の合板４７には図示しないナットが埋め込まれている。本実施形態では、背受け部４２及び肘受け部４３は左右方向Ｙに３つに分割されている（図１参照）。
このように、背もたれ部４０は、合板４７、５１、及び硬質クッション層４８、５２を有する２層構造となっている。
【００３２】
図８に示すように、肘受け部４３の左右方向Ｙの端部であって後方の端部に、切欠き４３ａが形成されている。左右方向Ｙに隣り合う肘受け部４３の切欠き４３ａが連なる部分に、後述するようにコネクタ部７０が取付けられている。図５は、ダクト部６０における肘受け部４３の切欠き４３ａが形成されていない部分での断面図であり、図７は、ダクト部６０における肘受け部４３の切欠き４３ａが形成されている部分での断面図である。
【００３３】
図７及び８に示すように、蓋部４４は、中央に開口５５ａが形成された蓋部本体５５と、蓋部本体５５の後方の端部が下方にコ字形に折れ曲がることで形成されたフランジ部５６とを有している。開口５５ａの縁部には、下方に段付けされることで段部５５ｂが形成されている。
蓋部４４は、ダクト部６０の後述する補強部材６４等に、ビス止めや溶接等により接合されている。
【００３４】
ダクト部６０は、図５及び７に示すように、接続フレーム４１の下面に接合された底板６１と、底板６１の後方の端部から上方に延びる背板６２とを備えている。背板６２は、接続フレーム４１よりも後方に配置されている。底板６１及び背板６２は、例えば鋼板をプレス加工することで一体に形成されている。
底板６１及び背板６２は、左右方向Ｙに延びている。接続フレーム４１及びダクト部６０により、ダクト部６０の上部に開口６０ａが形成される。
【００３５】
図５及び８に示すように、接続フレーム４１の後面には、Ｌ字形の補強部材６４の一方の腕部６４ａが接合されている。補強部材６４の他方の腕部６４ｂには、上下方向Ｚに貫通する貫通孔６４ｃが形成されている。
接続フレーム４１の貫通孔及び補強部材６４の貫通孔６４ｃに挿通させたボルト６６のネジ部を合板４７、５１のナットに係合させることで、接続フレーム４１、補強部材６４に背受け部４２、肘受け部４３が取付けられる。
このようにして、肘受け部４３に切欠き４３ａが形成されていない部分における開口６０ａは肘受け部４３で覆われている。そしてこのダクト部６０の内部に、配線７４が挿通される。
このように、ダクト部６０は、左右方向Ｙに延びている。ダクト部６０は、脚部本体１１の上方の端部の後方、より詳しくは、接続フレーム４１よりも後方であって肘受け部４３よりも下方に設けられている。
【００３６】
図２に示すように、ハイシートベンチである椅子１において、肘受け部４３の後方の端部は、脚部１０の脚部本体１１よりも後方に延びている。脚部１０の脚支持部１２の後方の端部（脚部１０の下方の端部、保護部材１２ａの後面）よりも背もたれ部４０の肘受け部４３の方が後方に長さＬ１突出している。
背もたれ部４０は座部２０よりも上方に突出している。座部２０は背もたれ部４０よりも前方に突出している。脚部１０の下方の端部から背もたれ部４０の上方の端部までの上下方向Ｚの長さＬ２は、脚部１０の下方の端部から座部２０の上方の端部までの上下方向Ｚの長さＬ３の２倍以下である。より具体的には、背もたれ部４０の上方の端部までの長さＬ２は７５０ｍｍ〜１０００ｍｍが好ましく、座部２０の上方の端部までの長さＬ３は５００ｍｍ〜７００ｍｍが好ましい。
【００３７】
図７及び８に示すように、コネクタ部７０は、箱状に形成されて一方の面か開口するケース７１を有している。このケース７１の開口を囲む外周面には、フランジ７２が形成されている。ケース７１内には、一対のコンセント７３ａを有する公知のコンセントユニット７３が配置されている。コンセント７３ａはコンセントユニット７３の上面に配置され、外部に露出している。コンセントユニット７３には、配線７４が接続されている。配線７４のコンセントユニット７３とは反対側の端部には、図示しないプラグが設けられている。
ケース７１とコンセントユニット７３との間には、ケース７１から突没可能とされた公知の構成のカバー（不図示）が配置されている。
このカバーは、ケース７１内に収容されたときにコンセントユニット７３のコンセント７３ａを覆わない。一方で、カバーをケース７１から突出させカバーの端部の回転軸周りに回転させることで、コンセント７３ａをカバーで覆うことができる。
【００３８】
コネクタ部７０は、蓋部４４の段部５５ｂにケース７１のフランジ７２が係合した状態で、ビス止めや爪嵌合等により蓋部４４に取付けられている。コンセント７３ａは、コネクタ部７０の上面に配置されている。コネクタ部７０の上方の端部、すなわちコンセント７３ａが設けられている面の高さは、背もたれ部４０の上方の端部である上面５２ａの高さにほぼ等しい（等しいも含む）。
このようにして、肘受け部４３に切欠き４３ａが形成された部分における開口６０ａは、蓋部４４及びコネクタ部７０で覆われている。
【００３９】
このように、コネクタ部７０は背もたれ部４０の上方の端部であって、ダクト部６０の近くに取付けられている。コネクタ部７０の配線７４は、ダクト部６０に挿通されることで、椅子１の左右方向Ｙの端部に引き回される。配線カバー１４に挿通されることで、ダクト部６０から椅子１の下方の端部に引き回される。
【００４０】
このように構成された椅子１を製造するときには、例えばダクト部６０に配線７４を挿通させた後で、蓋部４４にコネクタ部７０を取付ける。コネクタ部７０を取付ける位置を左右方向Ｙにずらしても、ダクト部６０が左右方向Ｙに延びているため、コネクタ部７０をずらした位置から配線７４を左右方向Ｙに引き回すことは容易である。
脚部本体１１に配線カバー１４を取付ける前に、配線カバー１４内に配線７４を挿通させる。配線カバー１４のボルト１７に配線カバー１４のダルマ穴１６ａを係合させ、脚部本体１１に配線カバー１４を取付ける。
【００４１】
このように構成されたハイシートベンチである椅子１は、例えば病院の待合室等に設置される。室内の床面Ｇに設けられた図示しないコネクタ装置に配線７４のプラグを差し込む。配線７４はダクト部６０及び配線カバー１４により椅子１の下方まで引き回されているため、外部に露出する配線７４の長さが短くなる。
待合室には、図２中の拡大図に示すように、床面Ｇと壁面Ｗとの接続部に、埃や塵が溜まらないようにＲ幅木Ｗ１０が設けられている場合がある。
この場合であっても、前述の脚支持部１２よりも後方に肘受け部４３が突出する長さＬ１をＲ幅木Ｗ１０の幅（壁面Ｗから突出する長さ）よりも長くすることで、壁面Ｗに肘受け部４３が接触したときに、Ｒ幅木Ｗ１０の下方の端部に脚支持部１２が干渉しにくくなる。
【００４２】
図９に示すように、使用者Ｐは、椅子１の座部２０に腰Ｐ１を掛け、背もたれ部４０の背受け部４２の前面４８ａに背中Ｐ２をもたれかけ、肘受け部４３の上面５２ａに肘Ｐ３を乗せる。使用者Ｐが背もたれ部４０の前面４８ａや上面５２ａを押す力は、背もたれ部４０が取付けられた接続フレーム４１で支持される。肘受け部４３の上面５２ａは前後方向Ｘ及び左右方向Ｙに延びる平坦面であるため、上面５２ａに肘を掛けたときに、肘受け部４３から受ける反力が肘Ｐ３に平面的に作用する。
略立姿勢で着座するため、使用者Ｐが座部２０に腰Ｐ１を掛ける時間は比較的短時間となる。
使用者Ｐは、図示しない電子機器のプラグを椅子１のコネクタ部７０のコンセント７３ａに差し込み、電子機器に電力を供給する。コネクタ部７０は背もたれ部４０の上方の端部に取付けられているため、座部２０に腰Ｐ１を掛けた使用者Ｐの顔とコネクタ部７０との距離が比較的短い。
このとき、配線７４は配線カバー１４等に挿通されて引き回されているため、使用者Ｐが椅子１の座部２０、背もたれ部４０、及びコネクタ部７０を使用する際に配線７４が支障とならない。
コネクタ部７０を使用しないときには、ケース７１からカバーを引き出し、コンセント７３ａをカバーで覆う。
【００４３】
以上説明したように、本実施形態の椅子１によれば、肘受け部４３の上面５２ａは前後方向Ｘ及び左右方向Ｙに延びる平坦面であるため、肘受け部４３の上面５２ａに肘Ｐ３を掛けても肘受け部４３から受ける反力は肘Ｐ３に平面的に作用して集中しない。したがって、肘受け部４３に肘Ｐ３をかけた状態で椅子１が使用しやすくなる。
ダクト部６０は、接続フレーム４１よりも後方であって肘受け部４３よりも下方に設けられている。これにより、背もたれ部４０を押す力を接続フレーム４１や脚部１０で支持して、この力がダクト部６０に作用するのを抑えることができる。ダクト部６０を背もたれ部４０の近くに、椅子１の外形が大きくなるのを抑えてコンパクトに配置することができる。
ダクト部６０に配線７４を挿通させることで、使用者Ｐが椅子１を使用するときに配線７４が支障となるのを抑えることができる。配線７４が目立たず意匠性に優れた椅子１を提供でき、配線７４の損傷を防止し、配線７４を保護することができる。
【００４４】
コネクタ部７０が背もたれ部４０の上方の端部に取付けられているため、コネクタ部７０にプラグを接続する作業が椅子１に座る使用者Ｐの顔に近い位置ででき、作業性が良くなる。
コンセント７３ａが設けられている面の高さは、背もたれ部４０の上面５２ａの高さにほぼ等しい。したがって、コネクタ部７０が背もたれ部４０から見やすい位置となり、コネクタ部７０にプラグを接続する作業がしやすい。
脚部１０の下方の端部から背もたれ部４０の上方の端部までの上下方向Ｚの長さＬ２は、脚部１０の下方の端部から座部２０の上方の端部までの上下方向Ｚの長さＬ３の２倍以下である。これにより、座部２０に短時間腰Ｐ１を掛けるのに適した椅子１であることから、一定時間内により多くの使用者Ｐが使用でき、椅子１の使用者回転率を高めることができる。
【００４５】
脚部１０の下方の端部よりも背もたれ部４０の方が、後方に長さＬ１突出している。これにより、壁面Ｗに背もたれ部４０を接触させたときに、Ｒ幅木Ｗ１０の下方の端部に脚部１０の下方の端部が干渉するのを抑制することができる。
脚部１０に配線カバー１４が設けられているため、配線７４を床面Ｇ近くまで配線カバー１４の内部で引き回すことができる。コネクタ部７０に電力を供給するコネクタ装置が床面Ｇに設けられている場合には、外部に露出する配線７４の長さを短くできる。
コネクタ部７０がカバーを備えることで、コンセント７３ａに埃や塵が付着するのを抑制することができる。
【００４６】
（第２実施形態）
次に、本発明の第２実施形態について図１０から図１８を参照しながら説明するが、前記実施形態と同一の部位には同一の符号を付してその説明は省略し、異なる点についてのみ説明する。
図１０から１２に示すように、本実施形態の椅子２は、第１実施形態の椅子１の配線カバー１４及びコネクタ部７０の取付け位置が異なり、座部２０、背もたれ部４０、ダクト部６０に代えて、座部８０、背もたれ部９０、ダクト部１００を備えている。
本実施形態では、配線カバー１４は各脚部本体１１における一対の脚部本体１１の内側となる外面に取付けられている。
【００４７】
座部８０は、一対の脚部１０間に固定されたフレーム部８１と、前述のクッション部２２とを有している。
フレーム部８１は、図１２から１４に示すように左右方向Ｙに延びる左右フレーム２４、８２と、前後方向Ｘに延びる前後フレーム８３、８４とを備え、全体として矩形状に形成されている。左右フレーム８２、及び前後フレーム８３、８４は、前述の鋼管を用いて形成することができる。前後フレーム８３、８４には、上下方向Ｚに貫通する図示しない貫通孔が形成されている。
左右フレーム８２は、左右フレーム２４よりも前方に配置されている。前後フレーム８３、８４は、左右フレーム２４、８２の端部にそれぞれ接合されている。
【００４８】
前後フレーム８３、８４の貫通孔に挿通させたボルト３６のネジ部を合板３２のナットに係合させることで、フレーム部８１の上方にクッション部２２が取付けられる。
【００４９】
本実施形態では、背もたれ部９０は、図１１から１３に示すように、前述の接続フレーム４１と、背受け部９２と、肘受け部９３とを有している。
接続フレーム４１の上面には、接続フレーム４１から後方に突出する延長板９５が取付けられている。この延長板９５には、図示しない貫通孔が形成されている。
背受け部９２は、前記実施形態の背受け部４２の各構成に加えて、硬質クッション層４８上に配置された軟質クッション層９６を備えている。軟質クッション層９６の前面９６ａは、上方に向かうにしたがって後方に向かうように傾斜した斜面になっている。軟質クッション層９６は、軟質クッション層３４と同じ材料で形成することができる。軟質クッション層９６は硬質クッション層４８よりも前方に配置されている。
【００５０】
接続フレーム４１及び延長板９５の貫通孔に挿通させたボルト６６のネジ部を合板４７、５１のナットに係合させることで、接続フレーム４１及び延長板９５に背受け部４２及び肘受け部４３が取付けられる。
【００５１】
肘受け部９３は、前記実施形態の肘受け部４３の各構成に加えて、硬質クッション層５２上に配置された軟質クッション層９７を備えている。軟質クッション層９７の上面９７ａは、前後方向Ｘ及び左右方向Ｙに延びる平坦面である。軟質クッション層９７は、軟質クッション層３４と同じ材料で形成することができる。軟質クッション層９７は、硬質クッション層５２よりも上方、及び、合板５１、硬質クッション層５２の後面上に配置されている。
このように、背もたれ部９０は、合板４７、５１、硬質クッション層４８、５２、及び軟質クッション層９６、９７を有する３層構造となっている。
【００５２】
図１１に示す椅子２に関する肘受け部９３が突出する長さＬ１、背もたれ部９０の長さＬ２と座部８０の長さＬ３との関係は、第１実施形態の椅子１と同様である。
【００５３】
ダクト部１００は、図１２及び１３に示すように、一対のコネクタ支持具１０１と、各コネクタ支持具１０１から後方に延びる一対の第一ダクト１０２と、各第一ダクト１０２の後方の端部に接続され、左右方向Ｙに延びる第二ダクト１０３とを有している。
コネクタ支持具１０１は、図１４及び１５に示すように底板１０５と、底板１０５の左右方向Ｙの両端部から上方に延びる一対の側板１０６と、各側板１０６の上方の端部における後方の部分から互いに離間する方向に延びるフランジ板１０７とを有している。
底板１０５の前方の端部には、底板１０５を形成する鋼板を上方に折り曲げることで段部１０５ａが形成されている。側板１０６の前方の端部には、角孔である貫通孔１０６ａが形成されている。側板１０６の上方の端部における前方の部分には、互いに近づく方向に延びるコネクタ押さえ１０９が一対形成されている。各フランジ板１０７には、上下方向Ｚに貫通する貫通孔１０７ａが形成されている。
【００５４】
コネクタ支持具１０１は、例えば鋼板をプレス加工により折り曲げたり、孔開け加工したりすることで形成することができる。
コネクタ支持具１０１は、フランジ板１０７の貫通孔１０７ａに挿通させたビス１１０をクッション部２２の合板３２にネジ止めすることでクッション部２２に固定されている。
【００５５】
第一ダクト１０２は、前後フレーム８３、８４と同様に形成され、左右フレーム２４、８２に溶接やビス止め等により接合されている。図１２に示す第一ダクト１０２は、後述するようにコネクタ支持具１０１に取付けられるコネクタ部７０から後方に延びている。第一ダクト１０２の内部には、コネクタ部７０の配線７４が挿通されている。
第二ダクト１０３は、図１２及び１３に示すように、例えば鋼板を上方が開口するＵ字形にプレス加工することで形成されている。第二ダクト１０３は左右フレーム２４に接合されている。第二ダクト１０３の内部には、コネクタ部７０の配線７４が挿通されている。
これら第一ダクト１０２及び第二ダクト１０３は、直線状に形成され、座部８０の下方に設けられている。
【００５６】
図１４に示すように、コネクタ部７０はコンセント７３ａが前面となるように配置されている。図示はしないが、本実施形態ではケース７１の前方の端部における下方の面には凹部が形成され、ケース７１の側面には突起が形成されている。この例では、ケース７１にフランジ７２は形成されず、ケース７１内にカバーを備えていない。
コネクタ支持具１０１の底板１０５と一対のコネクタ押さえ１０９との間に配置されたコネクタ部７０は、コネクタ支持具１０１の段部１０５ａにケース７１の凹部を係合させ、コネクタ支持具１０１の貫通孔１０６ａにケース７１の突起を係合させることで、コネクタ支持具１０１に取付けられている。
コネクタ部７０は、座部８０の下方に取付けられている。
【００５７】
コネクタ部７０の配線７４は、第一ダクト１０２に挿通されることでコネクタ支持具１０１から椅子２の後方に引き回される。第二ダクト１０３に挿通されることで椅子２の左右方向Ｙの端部に引き回される。配線カバー１４に挿通されることで椅子２の下方の端部に引き回される。
【００５８】
このように構成された椅子２を製造するときには、例えばダクト部１００の第一ダクト１０２、第二ダクト１０３は別々に製造され、フレーム部８１の左右フレーム２４、８２に順番に接合される。
そして、第一ダクト１０２及び第二ダクト１０３に配線７４を挿通させた後で、コネクタ支持具１０１コネクタ部７０を取付ける。クッション部２２の合板３２にコネクタ支持具１０１をネジ止めする。
【００５９】
このように構成された椅子２は、第１実施形態の椅子１と同様に設置される。図１６に示すように、椅子２は、前述の椅子１と同様に使用者Ｐにより使用される。使用者Ｐは、図示しない電子機器のプラグを椅子２のコネクタ部７０のコンセント７３ａに差し込み、電子機器に電力を供給する。
【００６０】
以上説明したように、本実施形態の椅子２によれば、肘受け部９３に肘Ｐ３をかけた状態で椅子２が使用しやすくなる。
ダクト部１００及びコネクタ部７０は座部８０の下方に設けられているため、座部８０に腰Ｐ１を掛けたり背もたれ部９０にもたれたりする動作に、コネクタ部７０が支障となりにくくすることができる。椅子２の形態上、座部８０よりも下方にオープンスペース（図１１における空間Ｓ）が大きくあるが、ダクト部１００があることで、配線７４が目立つことが防止される。このオープンスペースに使用者Ｐの脚が出入りしたり、荷物等を置いたりした場合でも、その脚や荷物等が配線７４に絡むことがない。
ダクト部１００は第一ダクト１０２と第二ダクト１０３とを有しているため、第一ダクト１０２、第二ダクト１０３ごとにそれぞれ配線作業ができるので、配線作業が容易になる。第一ダクト１０２、第二ダクト１０３に分けて座部８０のフレーム部８１に取付けることができるので、取付けの作業性が向上する。
【００６１】
なお、本実施形態の椅子２では、コネクタ支持具１０１に代えて、図１７及び１８に示すコネクタ支持具１２１を用いてもよい。このコネクタ支持具１２１は、左右方向Ｙに間隔をおいて配置された一対の側板１２５と、各側板１２５の前方の部分における上方の端部に接続された接続板１２６と、各側板１２５の前方の部分における下方の端部から互いに近づく方向に延びる一対の支持板１２７と、各側板１２５の後方の部分における上方の端部から互いに離間する方向に延びる一対のフランジ板１２８とを有している。
各側板１２５の前方の端部には、角孔である貫通孔１２５ａが形成されている。側板１２５には、上方の端部における前方の部分よりも後方の部分を上方に突出させることで段部１２５ｂが形成されている。これにより、フランジ板１２８は接続板１２６よりも上方に配置されている。
各支持板１２７の後方の端部には、上方に向かって延びるコネクタ押さえ１２９が設けられている（一方のコネクタ押さえ１２９は不図示）。
各フランジ板１２８には、上下方向Ｚに貫通する貫通孔１２８ａが形成されている。
【００６２】
コネクタ支持具１２１は、コネクタ支持具１０１と同様に形成されるとともに、クッション部２２の合板３２に固定される。
詳細には図示しないが、この変形例におけるコネクタ部７０のケース７１には凹部は形成されない。
コネクタ支持具１２１の接続板１２６と一対の支持板１２７との間に配置されたコネクタ部７０は、コネクタ支持具１２１の貫通孔１２５ａにケース７１の突起を係合させ、ケース７１の後面を一対のコネクタ押さえ１２９に係止させることで、コネクタ支持具１２１に取付けられる。
【００６３】
（第３実施形態）
次に、本発明の第３実施形態について図１９から図２４を参照しながら説明するが、前記実施形態と同一の部位には同一の符号を付してその説明は省略し、異なる点についてのみ説明する。
図１９から２１に示すように、本実施形態の椅子３は、第２実施形態の椅子２の配線カバー１４及びコネクタ部７０の取付け位置が異なり、ダクト部１００に代えてダクト部１４０を備えている。
本実施形態では、配線カバー１４は各脚部本体１１の後面に取付けられている。
【００６４】
ダクト部１４０は、図２０から２２に示すように、一対の脚部１０の脚部本体１１における背もたれ部９０よりも下方の部分に取付けられた前パネル１４１と、前パネル１４１に形成された開口１４７ａの位置に対応して前パネル１４１及び接続フレーム４１に取付けられたコネクタ支持具１４２と、コネクタ支持具１４２の後方を覆う後パネル１４３とを有している。
なお、図２２は、後パネル１４３を外した状態を示している。
【００６５】
前パネル１４１は、前板１４７と、前板１４７の下端部から後方に延びる底板１４８と、前板１４７及び底板１４８に連なる側板１４９とを有している。
前板１４７には、前述の開口１４７ａが左右方向Ｙに間隔を空けて一対形成されている。側板１４９の後方の端部には、上方に延びる折返し部１５０が形成されている。側板１４９には、図示しない貫通孔が形成されている。
前パネル１４１の前板１４７、底板１４８、折返し部１５０、及び側板１４９は、例えば鋼板をプレス加工することで一体に形成されている。
前パネル１４１は、側板１４９の貫通孔に挿通させたボルト６６により脚部本体１１の側面に取付けられている（図２２参照）。
【００６６】
コネクタ支持具１４２は、図２２及び２３に示すように底板１５３と、底板１５３の左右方向Ｙの両端部から上方に延びる一対の側板１５４と、各側板１５４の上方の端部における後方の部分から上方に延びる延長板１５５と、各延長板１５５の上方の端部における前方の縁部から互いに離間する方向に延びる後フランジ板１５６と、各側板１５４の前方の縁部から互いに離間する方向に延びる前フランジ板１５７とを有している。
底板１５３の後方の端部には、上方に向かって延びるコネクタ押さえ１６０が設けられている。
側板１５４の前方の端部には、角孔である貫通孔１５４ａが形成されている。各側板１５４の上方の端部における前方の部分には、互いに近づく方向に延びるコネクタ押さえ１６１が形成されている。各後フランジ板１５６には、前後方向Ｘに貫通する貫通孔１５６ａが形成されている。
コネクタ支持具１４２は、コネクタ支持具１０１と同様に形成されている。コネクタ支持具１４２は、溶接等により前パネル１４１に取付けられるとともに、後フランジ板１５６の貫通孔１５６ａに挿通されたボルト６６により接続フレーム４１に取付けられている。
【００６７】
詳細には図示しないが、本実施形態では、第２実施形態の変形例と同一のコネクタ部７０のケース７１が用いられる。
図２３に示すコネクタ支持具１４２の底板１５３と一対のコネクタ押さえ１６１との間に配置されたコネクタ部７０は、コネクタ支持具１４２の貫通孔１５４ａにケース７１の突起を係合させ、ケース７１の後面をコネクタ押さえ１６０に係止させることで、コネクタ支持具１４２に取付けられる。
図２０に示すように、背もたれ部９０の前方の端部よりもコネクタ部７０の前方の端部の方が後方に配置されている。
図２２に示すように、ダクト部１４０の内部にはコネクタ部７０に接続された配線７４が挿通されている。
【００６８】
図２０及び２４に示すように、背もたれ部９０の肘受け部９３の下面には、補強板１６４が図示しないボルト等により取付けられている。補強板１６４の後方の端部には、下方に段付けされた段部１６４ａが形成されている。
後パネル１４３は、後板１６７と、後板１６７の左右方向Ｙの端部から前方に延びる連結板１６８と、各連結板１６８の前方の端部から互いに離間する方向に延びるフランジ板１６９とを有している。なお、連結板１６８及びフランジ板１６９は、一方のみを示している。
後板１６７の上方の端部及び下方の端部には、後板１６７を形成する鋼板を適宜折り曲げることで前方に突出した折返し部１７０、１７１がそれぞれ形成されている。
フランジ板１６９には、左右方向Ｙに延びてフランジ板１６９の端部に達する切欠き１６９ａが形成されている。切欠き１６９ａは、フランジ板１６９に上下方向Ｚに間隔を空けて一対形成されている。
【００６９】
このように構成された後パネル１４３は、補強板１６４の段部１６４ａに折返し部１７０を係止させるとともに、折返し部１５０上に折返し部１７１を係止させることで、底板１４８及び補強板１６４に対して後パネル１４３が下方に移動するのが規制される。すなわち、底板１４８及び補強板１６４により、後パネル１４３が下方から支持される。
この状態で、フランジ板１６９の切欠き１６９ａを挿通させた公知のユリアネジ１７２を脚部本体１１の後面に取付けることで、脚部本体１１に後パネル１４３が着脱可能に取付けられている。
図１９に示すように、本実施形態では、コネクタ部７０及びダクト部１４０は背もたれ部９０よりも下方であって座部８０よりも上方に取付けられている。より詳しくは、コネクタ部７０及びダクト部１４０は背もたれ部９０の下面に取付けられている。
【００７０】
このように構成された椅子３は、図示はしないが第１実施形態の椅子１と同様に設置され、使用者Ｐが椅子３の座部８０に腰Ｐ１を掛けて使用される。使用者Ｐの足は座部８０よりも下方に置かれるが、コネクタ部７０及びダクト部１４０は座部８０よりも上方に配置されるため、コネクタ部７０及びダクト部１４０が足に支障となりにくい。
使用者Ｐが誤って背もたれ部９０に例えば液状の飲み物をこぼした場合には、図２０に示すようにこの飲み物Ｂは軟質クッション層９６の前面９６ａに沿って流れ、前面９６ａの下方の端部から下方に落ちる。このため、飲み物Ｂがコネクタ部７０に着きにくい。
【００７１】
以上説明したように、本実施形態の椅子３によれば、肘受け部９３に肘Ｐ３をかけた状態で椅子３が使用しやすくなる。
背もたれ部９０よりも下方かつ座部８０よりも上方にコネクタ部７０及びダクト部１４０が設けられている。これにより、座部８０に腰を掛けたときに、座部８０よりも下方に置いた足にコネクタ部７０及びダクト部１４０が支障となりにくくなる。
背もたれ部９０の前方の端部よりもコネクタ部７０の前方の端部の方が後方に配置されている。したがって、誤って背もたれ部９０に飲み物Ｂをこぼした場合に、その飲み物Ｂがコネクタ部７０にかかりにくい。
【００７２】
以上、本発明の第１実施形態から第３実施形態について図面を参照して詳述したが、具
体的な構成はこの実施形態に限られるものではなく、本発明の要旨を逸脱しない範囲の構
成の変更、組み合わせ、削除等も含まれる。さらに、各実施形態で示した構成のそれぞれ
を適宜組み合わせて利用できることは、言うまでもない。
【００７３】
第１から第３実施形態の椅子１、２、３はコネクタ部７０の取付け位置が異なるだけで、座部や背もたれ部の構成は適宜変形することができる。具体的には、例えば椅子１のフレーム部２１、背もたれ部４０に代えて、第２実施形態の矩形状に形成されたフレーム部８１、３層構造の背もたれ部９０を備えてもよい。一方で、椅子２のフレーム部８１、背もたれ部９０に代えて、第１実施形態の櫛歯状に形成されたフレーム部２１、２層構造の背もたれ部４０を備えてもよい。第３実施形態の椅子３についても同様である。
コネクタ部７０はコンセント７３ａを有するとした。しかし、コネクタ部が、ＬＡＮ（Ｌｏｃａｌ  Ａｒｅａ  Ｎｅｔｗｏｒｋ）コネクタやＵＳＢ（Ｕｎｉｖｅｒｓａｌ  Ｓｅｒｉａｌ  Ｂｕｓ）コネクタ等のような通信用のコネクタを有するとしてもよい。
配線７４のコネクタ部７０とは反対側の端部に、プラグに代えて、太陽光発電パネル、充電池、ワイヤレス給電装置等を接続してもよい。このように構成することで、本発明の椅子をコネクタ装置に接続することなく、コネクタ部７０に接続した電子機器に電力を供給することができる。
【符号の説明】
【００７４】
１、２、３  椅子
１０  脚部
１１  脚部本体
１４  配線カバー
２０、８０  座部
４０、９０  背もたれ部
４１  接続フレーム（接続部材）
４２、９２  背受け部
４３、９３  肘受け部
６０、１００、１４０  ダクト部
１０２  第一ダクト
１０３  第二ダクト
７０  コネクタ部
７４  配線
Ｇ    床面
Ｌ２、Ｌ３  長さ
Ｙ    左右方向
Ｚ    上下方向
【図１】
0006781530.tif 000002
【図２】
0006781530.tif 000003
【図３】
0006781530.tif 000004
【図４】
0006781530.tif 000005
【図５】
0006781530.tif 000006
【図６】
0006781530.tif 000007
【図７】
0006781530.tif 000008
【図８】
0006781530.tif 000009
【図９】
0006781530.tif 000010
【図１０】
0006781530.tif 000011
【図１１】
0006781530.tif 000012
【図１２】
0006781530.tif 000013
【図１３】
0006781530.tif 000014
【図１４】
0006781530.tif 000015
【図１５】
0006781530.tif 000016
【図１６】
0006781530.tif 000017
【図１７】
0006781530.tif 000018
【図１８】
0006781530.tif 000019
【図１９】
0006781530.tif 000020
【図２０】
0006781530.tif 000021
【図２１】
0006781530.tif 000022
【図２２】
0006781530.tif 000023
【図２３】
0006781530.tif 000024
【図２４】
0006781530.tif 000025